(57)【要約】 【課題】  キーコード変換後に使用するための鍵との区別が容易にできて、変換作業を簡便に行えるようにする可変式シリンダ錠用の変換鍵を提供する。【解決手段】  可変式シリンダ錠用の変換鍵Ｋは、把持部３と、既存の鍵のコードを解除するための第一鍵本体５と、新しい鍵のコードを設定するための第二鍵本体７とが、一体に形成される。【選択図】  図２
0003148748.tif 000002
【実用新案登録請求の範囲】
【請求項１】
変換用の鍵を二つ用いて、二段階の操作によりキーコードを変更する構成の可変式シリンダ錠用の変換鍵であって、
把持部と、既存の鍵のコードを解除するための第一鍵本体と、新しい鍵のコードを設定するための第二鍵本体と、が一体に形成されていることを特徴とする可変式シリンダ錠用の変換鍵。
【請求項２】
前記第一鍵本体と前記第二鍵本体とが、軸方向が相互に略９０度をなすように前記把持部から突設されていることを特徴とする請求項１に記載の可変式シリンダ錠用の変換鍵。
【請求項３】
前記把持部が平板状に形成され、前記第一鍵本体と前記第二鍵本体とが、把持部と同一平面上において、軸方向が相互に略９０度をなすように配設されていることを特徴とする請求項２に記載の可変式シリンダ錠用の変換鍵。
【請求項４】
前記第一鍵本体と前記第二鍵本体とを相互に識別可能な手段を備えることを特徴とする請求項１乃至３のいずれかに記載の可変式シリンダ錠用の変換鍵。
【請求項５】
金属製の基板部に、前記第一鍵本体を構成する金属製の第一円筒体、前記第二鍵本体を構成する金属製の第二円筒体及び前記把持部を構成する樹脂製のカバー部を組み付けて形成されることを特徴とする請求項１乃至４のいずれかに記載の可変式シリンダ錠用の変換鍵。
【考案の詳細な説明】
【技術分野】
【０００１】
本考案は可変式シリンダ錠用の変換鍵、特に二段階の鍵操作によりキーコードを変更する構成の可変式シリンダ錠用の変換鍵に関する。
【背景技術】
【０００２】
可変式シリンダ錠は、鍵を紛失してしまった場合等に、所定の鍵の操作でキーコードを変えることにより、紛失した鍵を使用不能とし、新しい別の鍵を使用可能とするシリンダ錠の一種であり、錠をそっくり取替える費用や手間を要さない利便性から、現在広く利用されている。
【０００３】
可変式シリンダ錠には、図６に示すように、例えば、円筒形の外筒１００と、外筒の内側に挿入されて外筒に固定される固定体１０２と、錠軸１０３ａを有し固定体１０２の軸中心に設けられた中心孔に挿通される回転体１０３を備えてなるものがある（例えば、特許文献１参照）。このシリンダ錠Ｌでは、固定体１０２と回転体１０３に相互に連通可能な複数のピン孔１０５が同一円周上に所定間隔で穿設され、これらのピン孔１０５に前後一組のピン１１０が収容されている。複数のピン孔１０５の内の特定の一つのピン孔１０７には、前後一組のピン１１０の間に、ピン長さ変更用スペーサ１２０が配設されている。
【０００４】
従来、このような可変式シリンダ錠Ｌでは、図７に示すように、第一変換鍵６０１と、第一変換鍵とは別体の第二変換鍵６０２の二つの鍵を使用して、二段階の鍵操作によりキーコード変換作業を行っていた（例えば、特許文献２参照）。すなわち、まず、既存の鍵と同様のカム溝を持った第一変換鍵６０１を錠の鍵孔１１１に挿入して回し、回転体１０３を固定体１０２に対し所定角度回転させることにより、一旦固定体１０２側のピン孔１０５と回転体１０３側のピン孔１０５の編成を変えて、既存の鍵のコードを解除する。その際、前記特定のピン孔１０７の固定体１０２側に収容されていたピン長さ変更用スペーサ１２０は回転体１０３側に移動する。第一変換鍵６０１を抜き、次に、新しい鍵のコードに設定すべく、新しい鍵と同様のカム溝を持った第二変換鍵６０２を鍵孔１１１に挿入して逆方向に回し、回転体１０３を元の位置に復帰させると、ピン長さ変更用スペーサ１２０は前記特定のピン孔１０７から除去されて、そのピン孔１０７に収容されていたピンの長さが実質的に変更されるため、錠のキーコードが変更されていた。
【特許文献１】特許第３１５８２６９号公報
【特許文献２】特開２００４−３２４１４１号公報
【考案の開示】
【考案が解決しようとする課題】
【０００５】
しかしながら、鍵の紛失等により錠のキーコード変換の必要が生じる場合には、第一変換鍵、第二変換鍵の他に、変換後に使用するための鍵の、３つの鍵を入手することとなるため、どれが変換用の鍵でどれがその後の使用に用いる鍵であるかの区別がつきにくく、多数の鍵の管理が煩雑となるという問題があった。
【０００６】
本考案はこの問題に鑑み、変換後に通常使用するための鍵との区別が容易にできて、変換作業を簡便に行えるようにする可変式シリンダ錠用の変換鍵を提供することを目的とする。
【課題を解決するための手段】
【０００７】
本考案に係る可変式シリンダ錠用の変換鍵は、把持部から、既存の鍵のコードを解除するための第一鍵本体及び新しい鍵のコードを設定するための第二鍵本体が突設されて、把持部、第一鍵本体及び第二鍵本体が一体に形成されるものである。このような構成であれば、既存の鍵の紛失等によりキーコード変更の必要が生じた場合において、新たに、変換鍵と新しい鍵の供給を受けた場合においても、従来のように、変換用の２つの別体の鍵と、新しい鍵の合計３種類の鍵の供給を受ける場合に比べ、その二股状の外観から、容易に変換鍵と通常使用用の鍵の区別をすることができ、各鍵の管理も容易となる。
【０００８】
この場合に、第一鍵本体と第二鍵本体とが、軸方向が相互に略９０度をなすように把持部から突設される構成とすれば、変換作業時、第一鍵本体と第二鍵本体とが別体に用意されている場合や、第一鍵本体と第二鍵本体とが相互に１８０度をなすように構成されている場合のように、鍵を持ち直す必要が無く、手首のスナップを返すだけで容易にかつ素早く二段階のコード変換作業を行うことができる。また、第一鍵本体と第二鍵本体の間の領域にホルダ用の孔等を設ければ、バランスよくホルダー等から吊下することができる。更にこの場合に、把持部を平板状に形成し、その把持部から第一鍵本体と第二鍵本体とが、把持部と同一平面上において相互に略９０度をなすように延設すれば、把持部を持ちやすくなり、さらに鍵の操作性が向上する。
【０００９】
上述の可変式シリンダ錠用の変換鍵においては、キーコード変換作業時にどちらが先に使用する部分であるかが一見してわかるように、第一鍵本体と第二鍵本体とを相互に識別可能な手段を備える構成とすることが望ましい。そのような手段の一例としては、第一鍵本体或いは第二鍵本体のいずれか一方に、他方と色を異にするようなめっき加工等を施すことが挙げられる。
【００１０】
また、上述の変換鍵を、土台となる金属製の基板部に、第一鍵本体を構成する金属製の第一円筒体、第二鍵本体を構成する金属製の第二円筒体及び把持部を構成する樹脂製のカバー部を組み付けることにより形成する構成とすれば、第一円筒体と第二円筒体とに、予めカム溝等を切削により形成した後に基板部に組み付ければよいため、把持部と各鍵本体を鋳造等により一体的に成形した後に二股状の各鍵本体に順に切削加工を施す場合に比べて、製造が容易で、かつ、カバー部により、把持部が持ちやすくなり、操作性も更に向上される。
【考案を実施するための最良の形態】
【００１１】
以下に本考案の望ましい実施形態を図面に基づいて説明する。図１、２に示すように、本考案に係る可変式シリンダ錠用の変換鍵Ｋ（以下、「変換鍵Ｋ」とする）は、把持部３と、第一鍵本体５と、第二鍵本体７を備える。
【００１２】
把持部３は、鍵Ｋを使用する際に手で把持する部分であって、この実施形態では、平面視を、中心角を略９０度とする略扇形の平板状に形成されている。把持部３の周縁における、扇形の円弧の部位３ｆの中心近傍には、貫通孔３ａを有し、キーホルダー等に係止されるホルダ部３ｂが突設されている。
【００１３】
第一鍵本体５は、シリンダ錠Ｌ（図４，５，６参照、以下、「錠Ｌ」とする）のキーコード変換の第一段階として既存の鍵の設定を解除するのに使用される部分であって、把持部３の略扇形の一方の半径部位３ｄから、部位３ｄに対して略垂直に突設されている。本実施形態では、各鍵本体は、円筒状の鍵としている。第一鍵本体５は、後述する基板部１１とロレットピン４０で結合される部位である元部５ａと、元部５ａより若干大径の鍵棒部５ｂを備える。鍵棒部５ｂ先端外周側には、錠Ｌに使用されるピンの数に対応した数のカム溝が形成されている。本実施形態では、第一鍵本体５のカム溝は、既存の鍵のカム溝と同様に形成されている。鍵棒部５ｂの先端部外周にはまた、錠Ｌの鍵孔１１１に挿入する際に位置決めの役割をする位置決め突起５ｃが軸方向に沿って配設されている。第一鍵本体５には、使用時に第二鍵本体７との識別を可能とするような処理が施されている。本実施形態では、第二鍵本体７と色を異にするように、第一鍵本体５を構成する後述の第一円筒体２５に、金色のめっき処理が施されている。
【００１４】
第二鍵本体７は、錠Ｌのキーコード変換の第二段階として、第一鍵本体５の操作により解除状態となった錠Ｌに対し、新しい鍵のコードに設定するための部分であって、把持部３の略扇形の他方の半径部位３ｅから、部位３ｅに対して略垂直に突設されている。すなわち、第一鍵本体５と第二鍵本体７は、平板状の把持部３と同一平面上において、軸方向が相互に略９０度をなすように延設されている。第二鍵本体７は、基板部１１とロレットピン４０で結合される部位である元部７ａと、元部７ａより若干大径の鍵棒部７ｂを備える。鍵棒部７ｂ先端外周側には、第一鍵本体５と同様に、錠Ｌのピンの数に対応した数のカム溝が形成されている。第二鍵本体７のカム溝は、新しく使用する鍵のカム溝と同様に形成されている。また、鍵棒部７ｂの先端部の外周には、錠Ｌの鍵孔１１１に挿入する際に位置決めの役割をする位置決め突起７ｃが軸方向に沿って配設されている。  
【００１５】
図３に示すように、変換鍵Ｋは、構成部品上では、鍵の土台となる基板部１１と、把持部３を形成すべく基板部１１の後述する本体部１４に表裏から組み付けられるカバー部２０と、第一鍵本体５を形成すべく基板部１１の後述する第一延設部１６に組み付けられる第一円筒体２５と、第二鍵本体７を形成すべく基板部１１の後述する第二延設部１８に組み付けられる第二円筒体３０と、から構成される。
【００１６】
基板部１１は、本実施形態では厚さ約２ｍｍの金属の板から平板状に形成されるもので、略円形の本体部１４と、本体部１４の中心から、相互に略９０度をなすように半径方向に延びる第一延設部１６及び第二延設部１８と、本体部１４の外周縁における第一延設部１６と第二延設部１８の間の部位１４ｃと、略円形の本体部１４の中心に対して反対側の位置に、半径方向に延びる第三延設部１３を備える。本体部１４には、後述するカバー部２０をネジ止めする際に使用される貫通孔１４ａが２つ形成されている。また、外周縁側の一箇所には、カバー部２０における後述する表側部２１の位置決め突起２１ｇを挿入させる貫通孔１４ｂが形成されている。第一延設部１６と第二延設部１８は、第一円筒体２５と第二円筒体３０が各々組み付けられて第一鍵本体５と第二鍵本体７を構成する部位であり、それぞれ、元部側に第一円筒体２５、第二円筒体３０をロレットピン４０で組み付けるための貫通孔１６ａ，１８ａと、先端近傍に段差部１６ｂ，１８ｂを備える。第三延設部１３は、先端を丸く形成されてその近傍に貫通孔１３ａを有し、把持部３におけるホルダ部３ｂを構成する。
【００１７】
第一円筒体２５と第二円筒体３０は、金属製で、各々、変換鍵Ｋの完成時に、第一、第二鍵本体５，７の元部５ａ，７ａを構成する小径部２５ａ，３０ａと、鍵棒部５ｂ、７ｂを構成する大径部２５ｂ，３０ｂを備える。大径部２５ｂ，３０ｂは各々、位置決め突起５ｃ，６ｃ及び既存の鍵／新しく使用する鍵に応じたカム溝を予め切削等により形成された中空の円筒状に形成されている。小径部２５ａ，３０ａは、元部側へ開口し軸方向に沿って大径部２５ｂ，３０ｂとの境界まで延びて、基板部１１の第一延設部１６と第二延設部１８を挿入可能な幅とするスリット２５ｃ，３０ｃを備える。また、小径部２５ａ，３０ａは、基板部１１に第一円筒体２５，第二円筒体３０をロレットピン４０で締結するための嵌入孔２５ｄ，３０ｄを備える。本実施形態では、嵌入孔２５ｄ，３０ｄは、小径部２５ａ，３０ａが各々スリット２５ｃ，３０ｃにより２分割された状態において、変換鍵Ｋの裏側となる部位では円筒体２５，３０の軸直交方向に貫通し、表側となる部位においては表面側まで貫通しないような凹部状に形成されている。なお、上述したように、変換鍵Ｋの使用時に第一鍵本体５と第二鍵本体７との識別を可能とするように、第一円筒体２５には金色のめっき処理が施されて、第二円筒体２７とは色が異なるようにしている。
【００１８】
カバー部２０は、樹脂製で、表側部２１と裏側部２３の一対からなる。
【００１９】
表側部２１の内周面には、基板部１１との組み付け時に、第一延設部１６、第二延設部１８及び第三延設部１３の突出を許容しつつ、本体部１４をぴったりと嵌入させる凹部２１ａが、本体部１４の外形に沿った形状に形成され、凹部２１ａを除いた縁部２１ｂを凹部２１ａの底面より約１ｍｍ高い態様としている。縁部２１ｂには後述する裏側部２３における縁部２３ｂのスリーブ２３ｄに嵌入される複数の突起２１ｈが形成されている。凹部２１ａ中央付近の、本体部１４の貫通孔１４ａに対応する位置の二箇所には、基板部１１とのネジ止め用に、有底のネジ孔２１ｄを中央に備えた円筒状のボス部２１ｃが形成されている。ボス部２１ｃの外径は、基板部１１における本体部１４の貫通孔１４ａより若干小さく形成されている。また、基板部１１における本体部１４の貫通孔１４ｂに対応する位置には、位置決め突起２１ｇが設けられている。
【００２０】
図３の括弧内に示すように、裏側部２３の内周面には、基板部１１との組み付け時に、第一延設部１６、第二延設部１８及び第三延設部１３の突出を許容しつつ、本体部１４をぴったりと嵌入させる凹部２３ａが、本体部１４の外形に沿った形状に形成され、凹部２３ａを除いた縁部２３ｂを凹部２３ａの底面より約１ｍｍ高い態様としている。縁部２３ｂには表側部２１における縁部２１ｂの突起２１ｈが嵌入される複数のスリーブ２３ｄが形成されている。凹部２３ａにおける表側部２１のボス部２１ｃに対応する二箇所には、ネジ止め用のネジ５０を挿通させる貫通孔２３ｃが設けられている。
【００２１】
変換鍵Ｋの組付について説明する。まず、位置決め突起５ｃ及び既存の鍵と対応するように形成されたカム溝を予め備える第一円筒体２５の小径部２５ａに形成されたスリット２５ｃに、基板部１１の第一延設部１６を、段差部１６ｂが大径部２５ｂの端面に当接するまで挿入し、ロレットピン４０を第一円筒体２５における小径部２５ａの嵌入孔２５ｄ及び第一延設部１６の貫通孔１６ａに挿入して、第一延設部１６と第一円筒体２５を締結する。同様にして、位置決め突起７ｃ及び新しい鍵と対応するように形成されたカム溝を予め備える第二円筒体３０の小径部３０ａに形成されたスリット３０ｃに、第二延設部１８を、段差部１８ｂが大径部３０ｂの端面に当接するまで挿入し、ロレットピン４０を第二円筒体３０における小径部３０ａの嵌入孔３０ｄ及び第二延設部１８の貫通孔１８ａに挿入して、第二延設部１６と第二円筒体３０を締結する。
【００２２】
次に、基板部１１の本体部１４とカバー部２０を組み付ける。具体的には、カバー部２０の表側部２１における、本体部１４の外形に沿って形成された凹部２１ａに、ボス部２１ｃが本体部１４の貫通孔１４ａに挿入され、位置決め突起２１ｇが貫通孔１４ｂに挿入されるように、本体部１４を配置させ、次に、表側部２１の複数の突起２１ｈが裏側部２３の対応するスリーブ２３ｄに嵌入されるようにして、裏側部２３を本体部１４及び表側部２１に対して配置させる。その後、裏側部２３の貫通孔２３ｃからネジ止めすれば、変換鍵Ｋの組み付けが完了する。
【００２３】
この変換鍵Ｋを使用した可変式シリンダ錠Ｌのキーコード変換作業について、図４，５，６を参照しつつ説明する。図４に示すように、錠Ｌの施錠状態において、まず、鍵Ｋの第一鍵本体５を、位置決め突起５ｃが、錠Ｌの鍵孔１１１における係合部１１３と係合するように鍵孔１１１に挿入し、所定角度回して抜く。すると、錠Ｌの固定部１０２に対し、回転部１０３が回転し、固定部１０２、回転部１０３の各々に配置されたピン孔１０５，１０７の編成が変更されると共に、特定のピン孔１０７中に収容されていたピン長さ変更用スペーサ１２０が特定のピン孔１０７から移動可能状態となり、既存の鍵の設定が解除される。その後、図５に示すように、第二鍵本体７を鍵孔１１１に挿入して回転部１０３が元の位置に復帰するように回して抜くと、ピン長さ変更用スペーサ１２０は特定のピン孔１０７から除去され、特定のピン孔１０７に収容されたピンの長さが実質的に変更されて、錠Ｌのキーコードが変更される。こうして、既存の鍵は使用不能となり、新しい鍵のみが使用可能となる。
【００２４】
本実施形態に係る可変式シリンダ錠用の変換鍵Ｋでは、把持部３から、既存の鍵のコードを解除するための第一鍵本体５及び新しい鍵のコードを設定するための第二鍵本体７が突設されて、把持部３、第一鍵本体５及び第二鍵本体７が一体に形成されている。このような構成であれば、既存の鍵の紛失等によりキーコード変更の必要が生じた場合において、新たに、変換鍵Ｋと新しい鍵の供給を受けた場合においても、従来のように、変換用の２つの別体の鍵と、新しい鍵の合計３種類の鍵の供給を受ける場合に比べ、その二股状の外観から、容易に変換鍵Ｋと通常使用用の鍵の区別をすることができ、各鍵の管理が容易となる。
【００２５】
また、変換鍵Ｋでは、第一鍵本体５と第二鍵本体７とが、軸方向が相互に略９０度をなすように把持部３から突設されている。このような構成では、変換作業時、第一鍵本体５と第二鍵本体７が別体に用意されている場合や、第一鍵本体５と第二鍵本体７が相互に１８０度をなすように構成されている場合のように、鍵を持ち直す必要が無く、手首のスナップを返すだけで容易にかつ素早く二段階の変換作業を行うことができる。また、本実施形態のように、第一鍵本体５と第二鍵本体７の間の領域にホルダ部３ｂを設ければ、バランスよくホルダー等から吊下することができる。この場合に、把持部３を平板状に形成し、その把持部３から第一鍵本体５と第二鍵本体７とが、把持部３と同一平面上において相互に略９０度をなすように延設すれば、把持部３を持ちやすくなり、さらに鍵の操作性が向上する。ただし、以上のような点を考慮しなければ、第一鍵本体５と第二鍵本体７との配置は相互に略９０度でなくとも、把持部３における、鍵の操作時に相互に邪魔にならない位置に配置されていればよい。
【００２６】
本実施形態の変換鍵Ｋでは、第一鍵本体５が、構成部品である第一円筒体２５が金色のめっき処理を施されていることにより、第二鍵本体７と識別可能な態様としており、これにより、キーコード変換作業時にどちらが先に使用する部分であるかが一見してわかるようになっている。このような、第一鍵本体５と第二鍵本体７を識別する手段は、これに限られず、第一鍵本体５に他の色のめっき処理或いは表面処理を施してもよいし、第一鍵本体５でなく、第二鍵本体７の側にそのような処理を施してもよい。その他、第一鍵本体５、第二鍵本体７上に、錠Ｌとの位置決めに使用される位置決め突起５ｃ、７ｃの軸方向の長さ等を相互に変える等して、第一鍵本体５と第二鍵本体７とが識別可能な状態となればよい。
【００２７】
また、実施形態の変換鍵Ｋは、土台となる金属製の基板部１１の第一延設部１６に、第一鍵本体５を構成する金属製の第一円筒体２５を、第二延設部１８に第二鍵本体７を構成する金属製の第二円筒体３０を、そして、基板部１１の本体部１４に、表側部２１及び裏側部２３からなる樹脂製のカバー部２０を組み付けることにより形成されている。このような構成では、第一円筒体２５と第二円筒体２７に、予めカム溝等を切削により形成した後に基板部１１に組み付ければよいため、把持部３と第一鍵本体５及び第二鍵本体７を鋳造等により一体的に成形した後に二股状の各鍵本体に順に切削加工を施す場合に比べて、製造が容易で、かつ、カバー部２０が一定の厚みを持つことにより、把持部が持ちやすくなり、操作性も更に向上される。但し、このような点を考慮しなければ、変換鍵Ｋを、把持部３と第一及び第二鍵本体部５，７を鋳造等により一体的に成形する構成としてもよい。
【図面の簡単な説明】
【００２８】
【図１】本考案の実施例である可変式シリンダ錠用の鍵の正面図である。
【図２】実施例の鍵を背面から見た斜視図である。
【図３】実施例の鍵の分解斜視図である。
【図４】実施例の鍵の使用方法を示す図である。
【図５】図４に続けて、実施例の鍵の使用方法を示す図である。
【図６】シリンダ錠の概略断面図である。
【図７】従来の変換鍵２本を示す図である。
【符号の説明】
【００２９】
３  ・・・    把持部
５  ・・・    第一鍵本体
７  ・・・    第二鍵本体
１１  ・・・  基板部
２０  ・・・  カバー部
２５  ・・・  第一円筒体
３０  ・・・  第二円筒体
Ｋ  ・・・  変換鍵
【図１】
0003148748.tif 000003
【図２】
0003148748.tif 000004
【図３】
0003148748.tif 000005
【図４】
0003148748.tif 000006
【図５】
0003148748.tif 000007
【図６】
0003148748.tif 000008
【図７】
0003148748.tif 000009